(57)【要約】【課題】壁に埋め込まれ床面を照射するフットライトにおいて、消灯時に光源が目立つことがなく、外観の見栄えを良くし、かつ、照射光率の低下を抑制する。【解決手段】フットライト１は、光照射用開口４を有する筐体２と、筐体２内の光源３と、光透過用の光学体５とを有する。光学体５は光軸３０に略直交し、外部から入射される光を屈折または反射する屈折面５１と、屈折面５１と略直交し、屈折面５１で正反射されて入射された光を反射する反射面５２と、光源３の光を開口４に出射する出射面５３とを有し、反射面５２は不透過処理されている。これにより、歩行者Ｍが開口４から光の不透過の反射面５２が映り込んだ屈折面５１を見るようになるので、筐体２内が見え難くなり、開口４を化粧カバー等で覆うことなく、外観の見栄えを良くでき、かつ、照射光率の低下を抑制することができる。【選択図】図２
2010277708.tif 000002
【特許請求の範囲】
【請求項１】
光照射用開口を有する筐体と、前記筐体に収容される光源とを備え、前記光源からの光が前記光照射用開口を通して床面を照射するように前記筐体が壁に埋め込まれるフットライトにおいて、
前記光源の光軸に略直交し、外部から前記光照射用開口を通して入射される光を屈折または反射する屈折面と、前記屈折面と略９０度以上の角度を成し、前記屈折面で正反射された光が入射され、その光を反射する反射面と、光源からの前記屈折面を通して入射される光を前記光照射用開口を通して出射する出射面と、を有する光学体を備え、
前記光学体の反射面は、光の不透過処理が施されていることを特徴とするフットライト。
【発明の詳細な説明】
【技術分野】
【０００１】
本発明は、床面を照射するために壁面の下部に埋め込まれるフットライトに関する。
【背景技術】
【０００２】
従来から、建物等の壁面の下部に埋め込まれ、床面や地面等に光を照射することにより歩行者の足元を明るくする、いわゆるフットライトと呼ばれる照明器具が知られている。この種のフットライトにおいては、外観の見栄えを良くすると共に、消灯時に器具、特に光源を目立たなくするために、光照射面上部に化粧カバーが設けられている（例えば、特許文献１参照）。
【０００３】
しかしながら、このようなフットライトにおいては、化粧カバーがあることにより光源からの光の一部を遮光することになり、照射効率が低下する問題があった。
【先行技術文献】
【特許文献】
【０００４】
【特許文献１】特開２００９−５４４９５号公報
【発明の概要】
【発明が解決しようとする課題】
【０００５】
本発明は、上記の問題を解決するものであり、消灯時に光源が目立つことがなく、外観の見栄えを良くし、かつ、照射光率を低下させることのないフットライトを提供することを目的とする。
【課題を解決するための手段】
【０００６】
上記目的を達成するために請求項１の発明は、光照射用開口を有する筐体と、前記筐体に収容される光源とを備え、前記光源からの光が前記光照射用開口を通して床面を照射するように前記筐体が壁に埋め込まれるフットライトにおいて、前記光源の光軸に略直交し、外部から前記光照射用開口を通して入射される光を屈折または反射する屈折面と、前記屈折面と略９０度以上の角度を成し、前記屈折面で正反射された光が入射され、その光を反射する反射面と、光源からの前記屈折面を通して入射される光を前記光照射用開口を通して出射する出射面と、を有する光学体を備え、前記光学体の反射面は、光の不透過処理が施されているものである。
【発明の効果】
【０００７】
請求項１の発明によれば、歩行者が光照射用開口を見下ろしたとき、消灯時に目線方向から入射され光学体の屈折面で正反射された光が、不透過処理された反射面に入射されることにより、当該反射面が映り込まれた屈折面を見ることになるので、化粧カバー等で光照射用開口を覆わなくとも、消灯時に筐体内を見え難くできる。このため、光源からの光が遮光されることがなくなるので、照射効率の低下を抑制することができる。また、点灯時においても、歩行者は反射面が映り込まれた屈折面を見ることになるので、光源が直接目に入らず、光源グレアの発生を抑制することができる。
【図面の簡単な説明】
【０００８】
【図１】（ａ）は本発明の第１の実施形態に係るフットライトの消灯時の状態を示す図、（ｂ）は同フットライトの点灯時を示す図。
【図２】同フットライトの断面構成図。
【図３】（ａ）は同フットライトの光学体における光の反射を説明する図、（ｂ）は同光学体が平板状である場合の光の反射を説明する図。
【図４】（ａ）は同フットライトを見下ろした状態を示す図、（ｂ）は同フットライトを正面方向から見た状態を示す図、（ｃ）は同フットライトを見上げた状態を示す図。
【図５】同フットライトの点灯時の照射状態を示す図。
【図６】同フットライトの実施例の断面図。
【発明を実施するための形態】
【０００９】
以下、本発明の第１の実施形態に係るフットライトについて図１乃至図６を参照して説明する。図１（ａ）に示されるように、本実施形態のフットライト１は、光照射用開口（以下、開口という）４を有する略矩形の中空の筐体２と、筐体２に収容される光源３とを備え、筐体２はその開口４から光源３からの光が床面１０１に照射されるように、壁１００に埋め込まれる。このフットライト１は、後述の構成により光源３の消灯時には、歩行者Ｍの目線方向からは、開口４が暗く見え、消灯時に光源３が目立つことがなく、外観の見栄えを良くしている。また、図１（ｂ）に示されるように、光源３が点灯時には、フットライト１は上記と同様に、歩行者Ｍの目線方向からは開口４が暗く見えると共に、床面１０１の照射範囲２００のみが明るく見えるようになっている。
【００１０】
図２は、フットライト１の断面構成を示す。フットライト１は、光源３からの光を透過して開口４に出射するための、屈折面５１、反射面５２、及び出射面５３を有する三角柱形状の光学体５を備える。この光学体５には、光透過性無垢材等の光学部材が使用される。また、光源３は蛍光灯、白熱球、固体型発光のＬＥＤ等から成る。
【００１１】
光学体５の屈折面５１は、光源３の光軸３０に略直交し、外部から開口４を通して入射される光を屈折または反射する。反射面５２は、屈折面５１との角度θａが９０度以上を成し、屈折面５１で正反射された光が入射され、その入射光を反射する。また、反射面５２は、塗装膜５４で覆われ、光の不透過処理が施されている。出射面５３は開口４の開口面と略平行を成し、光源３からの屈折面５１を通して入射される光を開口４に向けて出射する。
【００１２】
また、出射面５３は、光源３からの光が照射方向に対して正反射が起らない角度となっており、屈折面５１とは鋭角を成している。また、屈折面５１と、反射面５２と、出射面５３とはプリズム形状を成している。ここでは、屈折面５１が光源３の光軸３０に略直交し、屈折面５１と反射面５２との角度θａが略９０度以上であるので、光源３からの光は、光学体５の屈折面５１や反射面５２で殆ど反射されることなく光学体５内を進み、光学体５から空気中に出る出射面５３から下方に屈折され、床面１０１に向けて照射される。従って、光学体５における光源グレアの発生が少なく、反射損失も少ない。なお、屈折面５１と光源３の光軸３０との成す角度は、直角に限らず光源３からの光の正反射が起らない範囲であればよい。
【００１３】
ここで、上記構成のフットライト１の歩行者Ｍからの見え方について、光学体５は平板である場合と比較して図３（ａ）、（ｂ）を参照して説明する。歩行者Ｍがフットライト１より高い同じ目線位置から見た場合とし、説明を簡単にするために、光学体５と光源３のみを示している。
【００１４】
図３（ａ）は、目線方向から外部より入射光６０が光学体５に入射され、正反射された場合の光の進行状態を示す。ここでは、入射光６０は、屈折面５１に対し正反射角θ１を成して入射され、正反射角θ１と同じ反射角θ２で反射されて、正反射光６１となって反射面５２に入射される。このとき、歩行者Ｍは、屈折面５１を見たとき、正反射光６１により屈折面５１に映り込んだ反射面５２を見ると共に、反射面５２の塗装膜５４の色を見ることになる。なお、正反射角θ１および反射角θ２は、光学体５の材質により異なる。
【００１５】
従って、塗装膜５４の色を変えることにより、屈折面５１を見たときの色が変化される。ここでは、反射面５２が黒塗装されており、歩行者Ｍには出射面５３が黒く見えることになるので、消灯時に、筐体２内部の光源３や光源用電源（不図示）等の内蔵物が見え難くなる。また、屈折面５１および出射面５３は、それぞれ光源３からの光と正反射が起らない角度を成しているので、点灯時の光源グレアの発生が抑制される。また、反射面５２は、光源３からの光が仮に入射されたとしても、その光は塗装膜５４で吸収され反射されないので、上記と同様に、光源グレアの発生が抑制される。
【００１６】
図３（ｂ）は、光学体５が通常の平板状の場合における入射光６０の進行状態を示す。ここでは、光学体５は前記屈折面５１のような傾斜面を持たないため、入射光６０は光学体５内で殆ど全反射されず、透過光６２となって筐体２内に透過される。従って、歩行者Ｍからは、消灯時に筐体２内の内蔵物が見えるようになり見栄えが悪くなり、点灯時は光源３の光が見え易いため、グレアが発生することになる。
【００１７】
ここで、歩行者Ｍの目線位置の違いによる上記フットライト１の消灯時の見え方について図４（ａ）至乃（ｃ）を参照して説明する。
【００１８】
図４（ａ）は、歩行者Ｍがフットライト１より高い目線から開口４を見下ろす場合を示す。ここでは、歩行者Ｍの目線が高いので、開口４を通して光学体５の屈折面５１を見たとき、入射光６０は屈折面５１と成す正反射角θ１が臨界角を超えて全反射され、透過光はなく正反射光６１のみとなって、反射面５２に入射される。従って、歩行者Ｍは屈折面５１に映り込んだ黒色の反射面５を見ることとなる。このとき、歩行者Ｍが開口４から屈折面５１と反射面５の両方を見た時、開口４全体が黒く見え、消灯時に筐体２の内蔵物が殆ど見えなくなるので、外観の見栄えが良い。
【００１９】
図４（ｂ）は、歩行者Ｍの目線がフットライト１の略正面方向にある場合を示す。ここでは、歩行者Ｍは筐体２内を見たとき、入射光６０は光学体５の出射面５３と略直角を成し、屈折面５１と成す角度は全反射の臨界角より小さくなっている。そのため、入射光６０は、屈折面５１で正反射される正反射光６１と、屈折されて透過する透過光６２とに分かれた状態となっている。このとき、歩行者Ｍは、屈折面５１を見たとき、透過光６２により筐体２の内蔵物が見えると共に、正反射光６１により映り込んだ反射面５２が同時に見えるので、筐体２内がはっきりと見えない。従って、正面から見たときも、筐体２の内蔵物は見え難くなる。
【００２０】
図４（ｃ）は、歩行者Ｍの目線がフットライト１より低い位置にあり、下から見上げる場合を示す。ここでは、入射光６０は光学体５の屈折面５１と略直交を成しているため、歩行者Ｍは、消灯時に筐体２内の光源３等の内蔵物がはっきりと見えるようになる。なお、この状態は光源３からの光が床面方向に効率良く出射されることを意味する。
【００２１】
図５は、上記フットライト１が夜間等に点灯された状態を示す。ここでは、光源３からの光は光学体５の屈折面５１から入射されると、光学体５内を透過し、出射面５３から床面方向に向けて照射光７０のように照射される。
【００２２】
ここで、屈折面５１と出射面５３は光源３からの光が照射方向に対してともに正反射が起らない角度となっているため、光源３からの照射光７０が出射面５３から床面方向に向けて反射が少なく効率良く照射される。このとき、歩行者Ｍからは反射面５２が映り込んだ屈折面５１と反射面５２とが共に黒く見えることにより、開口４全体が黒く見え、光源３が見えないので、グレアがなく空間における照射光７０だけが強調されて見えるようになる。
【００２３】
図６は、上記フットライト１の具体的実施例を示す。筐体２は、中空の矩形を成し、その前面の中央に開口４が形成されている。筐体２を壁１００に埋め込んで取り付けるために、筐体２の前面側に矩形の枠部１０２が設けられている。枠部１０２が壁１００の開口に嵌め込まれることにより、筐体２が壁１００に固定される。
【００２４】
光源３は光源筐体内に収納される平面状のＬＥＤ３１で成り、ＬＥＤ３１の光軸３０が光学体５の屈折面５１と略直交するように筐体２内に固定されている。また、光学体５は、光透過性のアクリル樹脂等のレンズ部材から成り、出射面５３に沿って形成された矩形の突起５５が筐体２内に形成された凹部に挿入されることにより筐体２に固定されている。また、屈折面５１と反射面５２は略直交し、反射面５２は塗装膜５４で黒色に塗装されている。
【００２５】
上記のように構成されたフットライト１においては、平面状のＬＥＤ３１を用いたことにより、ＬＥＤ３１と屈折面５１を接近させることができ、ＬＥＤ３１から出射された光の殆どは、略真直ぐに屈折面５１に入射されるので、光学体５へロスなく入射され、照射効率が良くなる。また、歩行者Ｍが高い目線から筐体２内を見たとき、塗装膜５４による黒色の反射面５２が屈折面５１に映り込んで見える。
【００２６】
このように、本実施形態に係るフットライト１によれば、歩行者Ｍが筐体２の開口４を見たとき、屈折面５１に不透過処理された反射面５２が映り込むようにしたことにより、開口４を覆わなくとも、消灯時に、筐体２内を見え難くして外観の見栄えを良くすることができ、かつ、化粧カバー等で光源３が遮光されることがなくなるので、照射効率の低下を抑制することができる。また、点灯時においても、歩行者Ｍに光源３が直接目に入らず、光源グレアを抑制することができる。これにより、点灯時に光源グレアを抑制しフットライト１の器具の存在感を抑えつつ、フットライト光による床面照度を高める機能性と、消灯時に器具と建物との一体感を持たせつつ、外観の見栄えを良くする意匠性との両立を図ることができる。
【００２７】
また、塗装膜５４の色を壁１００と同色（例えば、ともに白色）にすることにより、昼間の消灯時には、歩行者Ｍが開口４から見える色が壁１００に同化され、フットライト１と壁１００が単一化されて見えるようにできる。これにより、フットライト１を独立した器具として見え難くして、その存在感をさらに抑えて意匠性をより良くすることができる。また、筐体２における開口４周りの前面フレームの幅を細くすることにより、器具の存在感を一層抑制することができる。
【００２８】
なお、本発明は上記実施形態の構成に限定されるものではなく、発明の趣旨を変更しない範囲で適宜に種々の変形が可能である。例えば、上記実施形態においては、光学体５が一体物であるものを示したが、屈折面、反射面、出射面をそれぞれ有する個別のレンズ体で構成してもよく、また、三角柱形状に限られるものではない。
【符号の説明】
【００２９】
１  フットライト
２  筐体
３  光源
３０  光軸
４  開口（光照射用開口）
５  光学体
５１  屈折面
５２  反射面
５３  出射面
【図１】
2010277708.tif 000003
【図２】
2010277708.tif 000004
【図３】
2010277708.tif 000005
【図４】
2010277708.tif 000006
【図５】
2010277708.tif 000007
【図６】
2010277708.tif 000008